(57)【要約】【課題】  赤外線を用いたデジタル通信装置は、親機、子機で構成されるが、従来から一般には親機、子機には同期方式をとる為それぞれＣＰＵが搭載され、このＣＰＵの基準発振クロックをつくる為には高安定な水晶振動子（Ｘ‘ｔａｌ）若しくはセラミック振動子が用いられている。本考案の方法は、親機に水晶振動子を用いるが子機は通常の割合に変化幅の大きい抵抗、コンデンサで構成されるＣＲ発振でも交信が可能とした事である。【解決手段】  親機側で、水晶振動子による発振クロックを基準として発振し、プログラムソフトにより予めいくつかの伝送基準クロック周波数を設定、これを選択方式とする事により子機の伝送速度に親機の伝送速度を合せ、同期した正しいデータ通信が行う事を可能としたものである。【選択図】    図４
2005159999.tif 000002
【特許請求の範囲】
【請求項１】
赤外線を用いた親機、子機からなる双方向データ通信装置において親機より赤外線を光パワーとして子機へ送り、子機はこの光パワーを受光してこれを発電源として用い、子機に内蔵しているＣＰＵの電源を立ち上げ、親機へ自分のＩＤコードを返送する装置と親機より光パワーとして子機へ送る時、光パワーの中に呼び出しコマンド命令信号を重畳させる電力線搬送の原理を応用した装置。
【請求項２】
赤外線を用いた親機、子機からなる前記の双方向データ通信装置に於て、特に親機側の水晶振動子発振クロックを用いて自動的に伝送速度を可変できるプログラムを装備したＣＰＵで構成される親機の装置。
【請求項３】
親機から子機へ、子機の伝送速度調査の為の呼出し信号を出力するプログラムソフトを内蔵するＣＰＵ。
【請求項４】
親機の伝送速度を子機の伝送速度に合わせる為に同親機の伝送基準クロック周波数をいく通りか選択できる様にプログラミングしたＣＰＵをもつ親機。
【請求項５】
子機が超小型化、安価を狙ったＣＲ発振型基準クロック発振器（又はメカニカル発振子を用いない他のすべての発振器）内蔵のＣＰＵと請求項１、請求項２、請求項３を含む親機で構成される非同期型双方向赤外線通信装置。
又は、赤外線通信のみならず子機がＣＲ発振型（又はメカニカル発振子を用いない他のすべての発振器）ＣＰＵを内蔵する無線通信、誘導電磁界通信、又は単向通信装置のすべてを含む非同期型通信装置。
【発明の詳細な説明】
【技術分野】
【０００１】  本発明は各々ＣＰＵを含む親機、子機間の非同期型デジタル伝送装置に関するものである。特に親機、子機間の非同期型デジタル伝送系において正しい通信を行わせる為に親機の伝送速度を子機の伝送速度に合せて通信を行なう事を特徴としたデジタル伝送装置である。
【背景技術】
【０００２】  従来からデジタル伝送方式には同期式、非同期式があり、最近では同期式が大半を占めている（例えば携帯電話、無線ＬＡＮ等すべてが同期式である）。
非同期式においては、親機、子機に各々ＣＰＵが内蔵されており、それぞれのＣＰＵには各々高性能な水晶振動子によるクロック発振器により、基準クロックを供給してプログラムを動作、デジタル信号を入力又は出力することにより、親機、子機間で正しい通信が行われている。
【発明の開示】
【発明が解決しようとしている課題】
【０００３】  前記背景に示される様に親機、子機のそれぞれのＣＰＵの基準クロック発振器に水晶振動子が用いられている場合は高精度、高安定な基準クロックにより伝送速度に誤差が生じる事は無く、正しく交信が行なわれている（図２参照）。
図１は赤外線データ通信装置のブロック構成図を示す。例えば、図１に示される様に子機側で諸凡の理由により、水晶振動子では無く抵抗Ｒ、コンデンサＣで構成されたＣＲ発振で基準クロックを発生した場合、コンデンサＣ、抵抗Ｒ、部品のバラツキ、周囲温度の変化が発生した場合はＣＲに変化を生じ、発振クロック周波数ｆ０〔Ｈｚ〕がｆ０±Δｆ〔Ｈｚ〕に変化する。これは即ち子機の伝送速度変化となって現れ、データ通信が異常となり、正しい通信が出来なくなる。
この様子をタイムチャートで図３に示す。（子機からの信号が出力されない様子を示している）。
本発明は、子機の外形が超小型の為、精度の高い基準クロック発振器用水晶振動子（又はセラミック振動子）が使用できなくても、ＣＲ発振クロックが一定の範囲内の基準変動であれば親機、子機間で所定の通信ルールを定める事により、交信を可能とした方式を提供するものである。
一般にデータ通信装置において親機、子機間で通信を行なう場合、伝送速度に誤差が発生した場合、ハード的に調歩同期をかける方式と、ソフト的に再送調歩方式を採る場合がある事は周知であるが本方式は後者の方式を子機がＣＲ発振とした場合に（この時、親機は水晶振動子による発振である）利用したものである。この様なデータ通信装置において、子機がＣＲ発振で行なわれた例は無い。
【課題を解決するための手段】
【０００４】  親機、子機間のデジタル伝送装置に於て、子機側の基準クロックが一定の範囲内で変化が発生し、伝送速度に変化が生じても親機側が変化した子機側の伝送速度と等しくなる様調整して正しい通信を可能としたものである。
子機側のＣＲ定数が変化して基準発振クロック周波数に変化が発生した場合、子機のＣＰＵの伝送速度は親機の伝送速度と異なるが、構わず異なった伝送速度でデータを親機へ送信する。親機はこれを検出し、予めプログラムソフトでいくつかの異なった伝送速度の受信処理を用意しておき、その処理の中から子機の伝送速度に合致した伝送速度を見つけ出す。こうして得られた伝送速度をもとに、親機が呼出し信号を子機に送信すると、子機は本来とは異なった伝送速度のまゝで親機へデータ返送するがデータ通信としては、正しい交信が行われる。
【発明の効果】
【０００５】  本発明は以上説明した様に構成されるので以下に記載される様な効果を奏でる。
本発明の装置によれば、親機の基準クロック発生にＸ‘ｔａｌの水晶振動子による発振を呈する事により、子機側は抵抗Ｒ、コンデンサＣの値に一定の変化幅を余儀なくされるＣＲ発振方式でも問題なく正しいデータ通信が可能である。
子機側が極小化の要求がされるシステム構成、特に子機側がモジュール又はチップ化の場合は最も適している（Ｘ‘ｔａｌ又は、セラミック発振子は小型されたものがあっても、未だＣ，Ｒチップサイズには及ばない為）。
親機側のクロック周波数の分解能及び幅を広く持たせる事により、周囲環境条件に左右されない最高に安定した広範囲の温度特性を持たせる事ができる。（前記、本考案の通信方法でカバーできる）。
温度特性の対策が不要な為、その特殊部品が不要となり、安定且小型で安価な、デジタル通信装置ができる。その他応用範囲が広い。
又本考案はここでは赤外線データ通信を例として説明したが、無線通信又は誘導電磁界を用いたデータ通信でも同様に実施できることは勿論である。
【発明を実施するための最良の形態】
【０００６】  前記課題を解決する為の様子を図４のタイムチャートで示す。
図４のタイムチャートによる通信は子機の基準クロックが、ＣＲのバラツキ、或は周囲温度の変化により、子機のデータ出力の伝送速度は親機の伝送速度と「ずれた形」で親機へ送信される事になるが、一般にこの時点でデータ化けが発生し、通信不能（通信エラー）となるが（これを防ぐ為、従来から子機側もＸ‘ｔａｌの水晶振動子を用いた発振回路が用いられている）、本考案が対象としているＣＲ発信における場合でも抵抗Ｒ、コンデンサＣに変動がなければ水晶振動子を使用した場合と同様に問題は発生しない。
図２に示すタイムチャートはＣＲの変化が発生しない理想的（Ｘ‘ｔａｌの水晶振動子を用いた場合と同一）な場合の交信を示す。
この場合、親機からの呼び出し信号は同親機の水晶振動子（Ｘ‘ｔａｌ）による伝送クロックに同期して子機へ送信される。
子機からは親機と同一の伝送クロックを用いてデータコードが親機へ返送され、親機、子機間は正しい交信が行なわれる。
図３は親機から伝送クロックに同期した正しい呼出し信号が子機へ送信されるが子機のＣＲ定数に変化がある為、子機側の伝送クロックは「ずれ」を生じ、親機からの呼び出し信号が正しく受け取れなくなり子機のデータは出力されない。
図４は子機の伝送基準クロックが「ずれた場合」を示す。子機のＣＲ定数に変化が発生している場合、伝送クロックは「ずれた」形で即ち「ずれた伝送速度」で任意のデータ信号を親機へ送信する。親機は子機からの「ずれた伝送速度」の信号を受信し、プログラムソフトで予め用意したいく通りかの受信処理の中から子機の伝送速度と一致する伝送速度を見つけ出し、得られた伝送速度を基に呼び出し信号を子機へ再送すると子機は正しいデータとして親機へ送信（返信）することで正しい交信が行なわれるデータ通信装置を提供するものである。
【図面の簡単な説明】
【０００７】
【図１】本考案のデジタルデータ通信装置のブロック構成図である。
【図２】親機、子機共に従来の安定した水晶振動子を使用した場合のデータ通信タイムチャート図である。
【図３】子機側のクロック周波数に「ずれ（変化）」が発生した場合のデータ通信のタイムチャート図である。
【図４】本考案の方式を使用した場合のデータ通信タイムチャート図である。
【符号の説明】
【０００８】１  親機
２  子機
３  親機の発光ダイオード
４  子機の受光ダイオード
５  親機の受光ダイオード
６  子機の発光ダイオード
７  赤外線（通信）
８  Ｘ‘ｔａｌ振動子（水晶振動子）
【図１】
2005159999.tif 000003
【図２】
2005159999.tif 000004
【図３】
2005159999.tif 000005
【図４】
2005159999.tif 000006